(57)【要約】【課題】  周囲の騒音及び通信相手へ送信又は受信する音声の大きさ大きさに応じて自動的に通話音量を制御する携帯端末装置を提供する。【解決手段】  マイク部２より入力された電気信号は、ＡＤコンバータ６を介して制御部７にて音声と騒音との識別を行う。入力された電気信号が騒音と識別された場合、制御部７は、入力側の電気信号の加減を行うアンプ部４と出力側の電気信号の加減を行うアンプ部３のゲイン制御を行う。一方、入力された電気信号が音声と識別された場合、制御部７は、入力側の電気信号の加減を行うアンプ部４のゲイン制御を行う。また、コーデック部８より出力された電気信号が音声と識別された場合、制御部７は、出力側の電気信号の加減を行うアンプ部３のゲイン制御を行う。【選択図】  図１
2005086361.tif 000002
【特許請求の範囲】
【請求項１】
入力される信号レベルの最大レベル及び最小レベルの差に基いて、信号が音声信号であるか周囲の騒音による信号であるかを判断する制御部を備えた携帯端末装置であって、
前記制御部は、音声信号又は騒音信号であると判断した場合に、当該判断に応じ入力又は出力信号の少なくとも一方の信号レベルを調整する処理を行うことを特徴とする携帯端末装置。
【発明の詳細な説明】
【技術分野】
【０００１】
本発明は、周囲の騒音の大きさ及び通信相手へ送信する音声の大きさ及び通信相手から受信する音声の大きさに応じて自動的に通話音量を制御する携帯端末装置に関する。
【背景技術】
【０００２】
従来、携帯電話装置などで通話を行っているときに、周囲の騒音によりしばしば受話音声が聞きづらくなることがある。例えば、通話中において、携帯端末装置を使用する場所の騒音が大きくなった場合、受話音量が小さいと通話を行う側にとっては通話が聞き取りにくくなり、時には聞こえない状態となる。逆に、通話中において、移動端末装置を使用する場所の騒音が小さくなった場合、受話音量が大きいと通話を行う側にとっては通話が大きく感じ、外部に通話が漏洩する状態となる。また、通話の相手方の声が普通の方より大きい場合も外部に通話が漏洩する状態となる。
【０００３】
こうした携帯端末装置を使用する環境において、通話音量を手動で変更することでこれらの問題を解決することは可能であるが、その環境における騒音が時間とともに不定に変化する環境、例えば電車や車の中といった騒音の量が刻々と変化する状態や、電車や車や飛行機といった騒音の元となる原因が近づくことや離れることによる状態では、手動で通話音量を変更していては、その使用とする環境の変化に即座に対応することは不可能である。
【０００４】
そこで、通話者の送話音声レベルの変化量から受話音量の聞き取りにくさを判断し、送話音声レベルの変化量が大きいときは周囲騒音レベルを検出し、検出された周囲騒音レベルに応じた受話音量を設定するようにしたことにより、通話者にとって常に最適な受話音量を自動的に設定することができる技術が開示されている（例えば特許文献１参照）。
【０００５】
【特許文献１】特開平１１−１９６１７４号公報
【発明の開示】
【発明が解決しようとする課題】
【０００６】
しかし、特許文献１では、別途に騒音レベルを検出するための特別なマイクロホン等が必要となり、その分のコストがかかるという問題がある。
【０００７】
本発明は、上述の問題を解消し、既存の送話音を入力するマイクロホン及び受話音を出力するスピーカのみで、通話者にとって常に最適な受話音量を自動的に設定することができる携帯端末装置を提供することを目的とする。
【課題を解決するための手段】
【０００８】
本発明の請求項１記載の携帯端末装置は、入力される信号レベルの最大レベル及び最小レベルの差に基いて、信号が音声信号であるか周囲の騒音による信号であるかを判断する制御部を備えた携帯端末装置であって、前記制御部は、音声信号又は騒音信号であると判断した場合に、当該判断に応じ入力又は出力信号の少なくとも一方の信号レベルを調整する処理を行うことを特徴とする。
【発明の効果】
【０００９】
本発明の携帯端末装置によれば、周囲の騒音の大きさ及び通信相手へ送信する音声の大きさ及び通信相手から受信する音声の大きさに応じて自動的に通話音量を制御することができる。
【発明を実施するための最良の形態】
【００１０】
以下、実施例を通じて本発明を説明するが、以下の実施例は請求項に係る発明を限定するものではなく、また実施例の中で説明されている特長の組み合わせの全てが発明の解決手段に必須であるとは限らない。
【実施例１】
【００１１】
図１は、本発明の携帯端末装置の主用部の構成の一例を示す図である。図１は、出力される電気信号を音に変換するスピーカ部１と、音を電気信号に変換し入力するマイク部２と、出力される電気信号をアナログレベルからディジタルレベルに変換するＡＤコンバータ５と、入力される電気信号をアナログレベルからディジタルレベルに変換するＡＤコンバータ６と、出力される電気信号の加減を行うアンプ部３と、入力される電気信号の加減を行うアンプ部４と、出力側のＡＤコンバータ５のレベルを読込み出力側の電気信号の加減を行うアンプ部３の制御と、入力側のＡＤコンバータ６のレベルを読込み入力側の電気信号の加減を行うアンプ部４の制御を行う制御部７と、音声信号の変調および復調を行うコーデック部８とで構成される。
【００１２】
ここで、本発明では、コーデック部より後段の構成については、一般に流通している携帯端末装置と同様の構成を取ることができ、また、後段の構成については特に特別な構成を必要としない。したがって、コーデック部より後段の構成については省略し、本件では本発明を適用するために必要なコーデック部から前段の構成について説明する。
【００１３】
次に、本発明の処理方法について説明する。初めに、マイク部２より入力された電気信号は、ＡＤコンバータ６を介して制御部７にて音声と騒音との識別を行う。ここで、音声と騒音の識別方法に関しては後述で詳細に説明する。
【００１４】
この音声と騒音の識別の際に、制御部７で入力された電気信号が騒音と識別された場合（本ケースを（１）とする）、制御部７は、入力側の電気信号の加減を行うアンプ部４と出力側の電気信号の加減を行うアンプ部３のゲイン制御を行う。一方、制御部７で入力された電気信号が音声と識別された場合（本ケースを（２）とする）、制御部７は、入力側の電気信号の加減を行うアンプ部４のゲイン制御を行う。また、制御部で７コーデック部８より出力された電気信号が音声と識別された場合（本ケースを（３）とする）、制御部７は、出力側の電気信号の加減を行うアンプ部３のゲイン制御を行う。以上の処理を行うことで、音声と騒音の識別に応じたゲイン制御を行うことができる。また、上述の括弧内の（１）〜（３）のケースの入出力信号の制御方法に関しての詳細な説明は後述で行う。
【００１５】
次に、音声と騒音との識別方法について図２を用いて詳細に説明する。図２は、音声と騒音の信号レベルを示す図である。同図の（ａ）は音声の信号レベルを示すものであり、（ｂ）は騒音の信号レベルを示すものである。ここで、同図の縦軸は信号レベルを表し、横軸は時間軸を表し、矢印はサンプリング間隔を表すものである。
【００１６】
特定の時間軸において、音声の信号レベル（ａ）と騒音の信号レベル（ｂ）を比較した場合、音声（ａ）では抑揚（イントネーション）がつくために、信号レベルのサンプリングを行うと、その特定時間におけるレベルは、最大値と最小値との値の差が広い値となる。また、騒音（ｂ）では抑揚がつかないため、信号レベルのサンプリングを行うと、その特定時間におけるレベルは、最大値と最小値との値の差が狭い値となる。
このことを利用し、常に特定の一定時間における入力側の電気信号のレベルに対し、特定時間にてサンプリングを行い、そのレベルの最大値と最小値との差を検出することにより、その電気信号が音声か騒音かの識別を行うことができる。
【００１７】
次に、上述のケース（１）の入力された電気信号が騒音と識別された場合の入出力信号の制御方法について、図３を用いて詳細に説明する。図３は、騒音の信号レベルの一例を示す図である。ここで、図３の（ａ）はある期間毎の騒音の信号レベルを表しており、図３の（ｂ）は図３の（ａ）の次の期間における騒音の信号レベルを表している。また、図３（ａ）（ｂ）の縦軸は信号レベルを表し、横軸は時間軸を表し、点線は騒音の信号レベルの平均を表している。図３の（ｃ）は騒音の平均信号レベルを表し、図３の（ｄ）は出力側のアンプ部３の出力ゲインレベルを表し、図３の（ｅ）は入力側のアンプ部４の入力ゲインレベルを表している。
【００１８】
ケース（１）の入力された電気信号が騒音と識別された場合、その騒音に対してその信号レベルを測定し平均化することで、ある時間における騒音の平均信号レベルを測ることができる。この操作を一定時間ごとに常に繰り返し、ある時間における騒音の平均信号レベル（図３（ａ））と次の時間における騒音の平均信号レベル（図３（ｂ））との比較を行い、その騒音の平均信号レベルの変化量に比例して出力側の電気信号の加減を行うアンプ部３のゲイン制御を行う。同様に、その騒音の平均信号レベルの変化量に反比例して、入力側の電信号の加減を行うアンプ部４のゲイン制御を行う。
【００１９】
これにより、騒音の平均信号レベルが増加した際は、出力側のアンプ部３のゲインを増加することで、騒音時における相手方からの通話音量を上げ、騒音時における通話の障害を防ぐことが可能となる。同様に、騒音の平均信号レベルが増加した際に、入力側のアンプ部４のゲインを低減することで、騒音時における相手方への通話音量を低減させ、相手方に騒音を伝えなくすることが可能となる。逆に騒音の平均信号レベルが低減した際は、出力側のアンプ部３のゲインを低減させ、同様に入力側のアンプ部４のゲインを増加させることで、最適な通話環境を設定することができる。
【００２０】
このような処理を、図３（ｃ）のような時間軸上における騒音平均信号レベルの変化で見た場合、出力側のアンプ部３のゲインは、騒音平均信号レベルに比例した形（図３（ｄ））になり、入力側のアンプ部４のゲインは、騒音レベルに反比例した形（図３（ｅ））になる。このようにして、常に入力される騒音の平均信号レベルを元に、出力側のアンプ部３のゲインと入力側のアンプ部４のゲインの調整を行うことで、最適な通話環境を設定することが可能となる。
【００２１】
次に、上述のケース（２）の入力された電気信号が音声と識別された場合の入力信号の制御方法について、図４を用いて詳細に説明する。図４は、音声の信号レベルの一例を示す図である。ここで、図４の（ａ）はある期間毎の音声の信号レベルを表しており、図４の（ｂ）は図４の（ａ）の次の期間における音声の信号レベルを表している。また、図４（ａ）（ｂ）の縦軸は信号レベルを表し、横軸は時間軸を表し、点線は音声の信号レベルの平均を表している。図４の（ｃ）は音声の平均信号レベルを表し、図４の（ｄ）は入力側のアンプ部４の入力ゲインレベルを表している。
【００２２】
ケース（２）の入力された電気信号が音声と識別された場合、その音声に対してそのレベルを測定し平均化することで、ある時間における音声の平均信号レベルを測ることができる。この操作を一定時間ごとに常に繰り返し、ある時間における音声の平均信号レベル（図４（ａ））と次の時間における音声の平均信号レベル（図４（ｂ））との比較を行い、その音声の平均信号レベルの変化量に応じて入力側の電気信号の加減を行うアンプ部４のゲイン制御を行う。
【００２３】
これにより、音声の平均信号レベルが増加した場合、入力側のアンプ部４のゲインを低減することで、相手側に一定レベルの音声を送ることが可能となる。逆に音声の平均信号レベルが低減した場合は、入力側のアンプ部４のゲインを増加させることで、最適な通話環境を設定することができる。
【００２４】
このような処理を、図４（ｃ）のような時間軸上における音声平均信号レベルの変化で見た場合、入力側のアンプ部４のゲインは、音声レベルに反比例した形（図４（ｄ））になる。このようにして、常に入力される音声の平均信号レベルを元に、入力側のアンプ部４のゲインの調整を行うことで、最適な通話環境を設定することが可能となる。
【００２５】
最後に、上述のケース（３）の７コーデック部８より出力された電気信号が音声と識別された場合の出力信号の制御方法について、図５を用いて詳細に説明する。図５は、音声の信号レベルの一例を示す図である。ここで、図５の（ａ）はある期間毎の音声の信号レベルを表しており、図５の（ｂ）は図５の（ａ）の次の期間における音声の信号レベルを表している。また、図５（ａ）（ｂ）の縦軸は信号レベルを表し、横軸は時間軸を表し、点線は音声の信号レベルの平均を表している。図５の（ｃ）は音声の平均信号レベルを表し、図５の（ｄ）は出力側のアンプ部３の出力ゲインレベルを表している。
【００２６】
ケース（３）のコーデック部８より出力された電気信号が音声と識別された場合、その音声に対してそのレベルを測定し平均化することで、ある時間における音声の平均信号レベルを測ることができる。この操作を一定時間ごとに常に繰り返し、ある時間における音声の平均信号レベル（図５（ａ））と次の時間における音声の平均信号レベル（図５（ｂ））との比較を行い、その音声の平均信号レベルの変化量に応じて出力側の電気信号の加減を行うアンプ部３のゲイン制御を行う。
【００２７】
これにより、音声の平均信号レベルが増加した場合、出力側のアンプ部３のゲインを低減することで、スピーカ部１より出力される音声を一定レベルにすることが可能となる。逆に音声の平均信号レベルが低減した場合は、出力側のアンプ部３のゲインを増加させることで、最適な通話環境を設定することができる。
【００２８】
このような処理を、図５（ｃ）のような時間軸上における音声平均信号レベルの変化で見た場合、出力側のアンプ部３のゲインは、音声平均信号レベルに反比例した形（図５（ｃ））になる。このようにして、常に出力される音声の平均信号レベルを元に、出力側のアンプ部３のゲインの調整を行うことで、最適な通話環境を設定することが可能となる。
【００２９】
以上説明したように、本発明の最良の実施形態によれば、携帯端末装置を使う環境における騒音の量に応じて、相手側からの音声のレベルを自動にて増減制御することにより、騒音時における通話の障害を妨げることができる。
【００３０】
また、通話時において、相手側に送る音声の大きさに応じて、その音声のレベルを自動にて増減制御することにより、相手側への通話音量を一定とすることができる。同様に、相手側からの音声の大きさに応じて、その音声のレベルを自動にて増減制御することにより、相手側からの通話音量を一定とすることができる。これにより、相手側からの通話音量の変化による外部への音声の漏洩や、相手側へ通話音量が低く通話が不通となるといった障害を防ぐことができる。
【図面の簡単な説明】
【００３１】
【図１】本発明の携帯端末装置の主用部の構成の一例を示す図。
【図２】音声と騒音の信号レベルを示す図。
【図３】騒音の信号レベルの一例を示す図。
【図４】音声の信号レベルの一例を示す図。
【図５】音声の信号レベルの一例を示す図。
【符号の説明】
【００３２】
１  スピーカ部
２  マイク部
３，４  アンプ部
５，６  ＡＤコンバータ
７  制御部
８  コーデック部
【図１】
2005086361.tif 000003
【図２】
2005086361.tif 000004
【図３】
2005086361.tif 000005
【図４】
2005086361.tif 000006
【図５】
2005086361.tif 000007